(57)【特許請求の範囲】
【請求項１】
第１画面に表示されたテキストデータからユーザ操作に応じて指定された単語に対応づけられた単語情報を、単語と単語情報とを複数組対応付けた辞書から検索して前記第１画面に表示させるジャンプ検索表示手段と、
前記ジャンプ検索表示手段により前記指定の単語に対応づけられた単語情報を表示させた際、前記表示されたテキストデータに対し、前記検索されて表示された情報の種類を対応付けた検索予測情報を登録する予測情報登録手段と、
前記予測情報登録手段により登録された検索予測情報のテキストデータが前記第１画面に表示された状態で、前記テキストデータの中のいずれかの単語がユーザ操作に応じて指定された場合、前記いずれかの指定単語に対応づけられた単語情報のうちの前記予測情報登録手段により前記テキストデータに対応づけて登録された情報の種類を前記辞書から検索して、前記検索された前記種類の単語情報を第２画面に表示させるジャンプ検索予測表示手段と、
を備え、
前記ジャンプ検索表示手段は、前記辞書から前記指定単語に関し階層化された複数種類の単語情報をユーザ操作に応じて順番に検索して、検索された前記複数種類の単語情報を表示させ、
前記予測情報登録手段は、前記ジャンプ検索表示手段により前記いずれかの指定単語に関する単語情報を表示させた際、前記表示されたテキストデータに対し、当該辞書から最終に検索されて表示された単語情報の種類を対応付けた検索予測情報を登録する、
ことを特徴とする情報表示制御装置。
【請求項２】
ユーザ操作に応じて、単語と単語情報とを複数組対応付けた複数の辞書の中からユーザ操作に応じていずれかの辞書を選択する辞書選択手段を備え、
前記予測情報登録手段は、前記ジャンプ検索表示手段により前記指定単語に対応づけられた単語情報を表示させた際、前記表示されたテキストデータに対し、前記辞書選択手段により選択された辞書と前記検索されて表示された情報の種類を対応付けた検索予測情報とを登録する、
ことを特徴とする請求項１に記載の情報表示制御装置。
【請求項３】
前記辞書の単語情報は、単語の例文を含む複数種類の情報からなり、
前記予測情報登録手段は、前記ジャンプ検索表示手段により前記指定単語の例文を表示させた際、前記表示されたテキストデータに対し種類の情報として例文を示す情報を対応付けた検索予測情報を登録し、
前記ジャンプ検索予測表示手段は、前記予測情報登録手段により登録された検索予測情報のテキストデータが前記第１画面に表示された状態で、前記第１画面に表示されたテキストデータの中の単語が指定された場合、対応する単語の例文を検索して前記第２画面に表示させる、
ことを特徴とする請求項１に記載の情報表示制御装置。
【請求項４】
前記第１画面の表示内容と前記第２画面の表示内容とをユーザ操作に応じて切り替えて表示させる画面切り替え表示手段を備えたことを特徴とする請求項１〜３の何れか一項に記載の情報表示制御装置。
【請求項５】
情報表示装置のコンピュータを制御するためのプログラムであって、
前記コンピュータを、
第１画面に表示されたテキストデータからユーザ操作に応じて指定された単語に対応づけられた単語情報を、単語と単語情報とを複数組対応付けた辞書から検索して前記第１画面に表示させるジャンプ検索表示手段、
前記ジャンプ検索表示手段により前記指定の単語に対応づけられた単語情報を表示させた際、前記表示されたテキストデータに対し、前記検索されて表示された情報の種類を対応付けた検索予測情報を登録する予測情報登録手段、
前記予測情報登録手段により登録された検索予測情報のテキストデータが前記第１画面に表示された状態で、前記テキストデータの中のいずれかの単語がユーザ操作に応じて指定された場合、前記いずれかの指定単語に対応づけられた単語情報のうちの前記予測情報登録手段により前記テキストデータに対応づけて登録された情報の種類を前記辞書から検索して、前記検索された前記種類の単語情報を第２画面に表示させるジャンプ検索予測表示手段、
として機能させ、
前記ジャンプ検索表示手段は、前記辞書から前記指定単語に関し階層化された複数種類の単語情報をユーザ操作に応じて順番に検索して、検索された前記複数種類の単語情報を表示させ、
前記予測情報登録手段は、前記ジャンプ検索表示手段により前記いずれかの指定単語に関する単語情報を表示させた際、前記表示されたテキストデータに対し、当該辞書から最終に検索されて表示された単語情報の種類を対応付けた検索予測情報を登録する、
ことを特徴とするプログラム。
【発明の詳細な説明】
【技術分野】
【０００１】
本発明は、ジャンプ検索に伴う辞書情報を適切に表示するための情報表示制御装置およびその制御プログラムに関する。
【背景技術】
【０００２】
従来の電子辞書装置において、メイン画面とサブ画面を備え、メイン画面に表示されているテキスト中の単語を指定し、ミニ辞書へのジャンプ検索を指示すると、指定された単語の文字種（日本語／英語）に応じて、和英または英和のミニ辞書により見出し語検索が実行され、検索された説明情報がサブ画面に表示されるジャンプ検索機能がある。
【０００３】
ここで、前記ミニ辞書とは、通常の辞書にある説明情報の内容を主要な語義部分を残して簡約化した辞書のことであり、メイン画面上で指定した検索対象の単語の語義を直ちにサブ画面に表示させて見ることができ便利である（例えば、特許文献１参照。）。
【先行技術文献】
【特許文献】
【０００４】
【特許文献１】特開２０１１−１３４３０１号公報
【発明の概要】
【発明が解決しようとする課題】
【０００５】
前記従来のミニ辞書によるジャンプ検索機能を備えた電子辞書装置では、メイン画面上で指定した単語の語義を直ちにサブ画面で見ることができて便利であるが、ミニ辞書の説明情報は簡約化されているために、例えば和英のミニ辞書により検索した英単語のシチュエーションに応じた正確さを英和辞書で確認したり、実際に使う用例等を知りたい場合には、ミニ辞書へのジャンプ検索ではなく、通常の辞書をジャンプ先の辞書に選択して検索する必要がある。
【０００６】
この場合、ジャンプ検索された通常辞書の説明情報は、メイン画面に表示中の元のテキストと切り替えられて表示されるため、元のテキストにおいて複数の単語を同様にジャンプ検索して調べるには、その都度、ジャンプ検索操作して調べた後に元のテキスト表示に戻るという操作を繰り返さなければならない。
【０００７】
本発明は、このような課題に鑑みてなされたもので、ユーザが行う特定のジャンプ検索操作を予測し、所望の検索結果を迅速に別画面に表示させることが可能になる情報表示制御装置およびその制御プログラムを提供することを目的とする。
【課題を解決するための手段】
【０００８】
本発明に係る情報表示制御装置は、第１画面に表示されたテキストデータからユーザ操作に応じて指定された単語に対応づけられた単語情報を、単語と単語情報とを複数組対応付けた辞書から検索して前記第１画面に表示させるジャンプ検索表示手段と、前記ジャンプ検索表示手段により前記指定の単語に対応づけられた単語情報を表示させた際、前記表示されたテキストデータに対し、前記検索されて表示された情報の種類を対応付けた検索予測情報を登録する予測情報登録手段と、前記予測情報登録手段により登録された検索予測情報のテキストデータが前記第１画面に表示された状態で、前記テキストデータの中のいずれかの単語がユーザ操作に応じて指定された場合、前記いずれかの指定単語に対応づけられた単語情報のうちの前記予測情報登録手段により前記テキストデータに対応づけて登録された情報の種類を前記辞書から検索して、前記検索された前記種類の単語情報を第２画面に表示させるジャンプ検索予測表示手段と、を備え、前記ジャンプ検索表示手段は、前記辞書から前記指定単語に関し階層化された複数種類の単語情報をユーザ操作に応じて順番に検索して、検索された前記複数種類の単語情報を表示させ、前記予測情報登録手段は、前記ジャンプ検索表示手段により前記いずれかの指定単語に関する単語情報を表示させた際、前記表示されたテキストデータに対し、当該辞書から最終に検索されて表示された単語情報の種類を対応付けた検索予測情報を登録する、ことを特徴とする。
【発明の効果】
【００１０】
本発明によれば、ユーザが行う特定のジャンプ検索操作を予測し、所望の検索結果を迅速に別画面に表示させることが可能になる情報表示制御装置およびその制御プログラムを提供できる。
【図面の簡単な説明】
【００１１】
【図１】本発明の情報表示制御装置の実施形態に係る電子辞書装置１０の外観構成を示す正面図。
【図２】前記電子辞書装置１０の電子回路の構成を示すブロック図。
【図３】前記電子辞書装置１０の情報表示処理（第１・第２実施例）を示すフローチャート。
【図４】前記電子辞書装置１０の情報表示処理（第１実施例）に伴う辞書別予測情報登録時のジャンプ検索表示動作を示す図。
【図５】前記電子辞書装置１０の情報表示処理（第１実施例）に伴う辞書別予測情報に応じたジャンプ検索表示動作を示す図。
【図６】前記電子辞書装置１０の情報表示処理（第２実施例）に伴う辞書別予測情報登録時および登録予測情報に応じたジャンプ検索表示動作を示す図。
【発明を実施するための形態】
【００１２】
以下図面により本発明の実施の形態について説明する。
【００１３】
図１は、本発明の情報表示制御装置の実施形態に係る電子辞書装置１０の外観構成を示す正面図である。
【００１４】
この情報表示制御装置は、以下に説明する電子辞書専用の電子辞書装置１０として構成されるか、辞書機能を備えたタブレット型のＰＤＡ(personal digital assistants)、ＰＣ(personal computer)、携帯電話、電子ブック、携帯ゲーム機等として構成される。
【００１５】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る／リスト］キー１４ｄ、カーソルキー１４ｅ、［ジャンプ］キー１４ｆなどを備えたキー入力部（キーボード）１４、スピーカ１５、およびタッチパネル式サブ表示部１６が備えられる。
【００１６】
このタッチパネル式サブ表示部１６は、ユーザがペンや指等でタッチした位置を検出するタッチ位置検出装置と表示装置が一体となった構造であり、キー入力部１４の中央手前側において例えば２５６×６４ドットのカラー液晶表示画面１６ｄに透明タッチパネル１６ｔを重ねて構成される。このタッチパネル式サブ表示部１６の画面領域は、必要に応じて、手書き文字を入力するための手書き文字入力領域や各種機能のアイコン入力領域、あるいは各入力領域が混在する領域、あるいは辞書検索結果の表示領域に切り替えられる。
【００１７】
そして、前記サブ表示部１６が手書き文字入力領域に切り替えられた状態での手書き入力に伴う軌跡はその液晶表示画面１６ｄにエコーバックして表示される。
【００１８】
また蓋体ケース１２の表面には、そのほぼ全面を対象にタッチパネル式メイン表示部１７が設けられる。このタッチパネル式メイン表示部１７も、前記タッチパネル式サブ表示部１６と同様に、ユーザがペンや指等でタッチした位置を検出するタッチ位置検出装置と表示装置が一体となった構造であり、例えば４８０×３２０ドットのバックライト付きのカラー液晶表示画面１７ｄに透明タッチパネル１７ｔを重ねて構成される。
【００１９】
そして、前記タッチパネル式メイン表示部１７の右端には、前記キー入力部１４における一部のキーの押下操作をタッチ操作により行うための、キー表記（例えば［訳／決定］キーＫＥ、［ジャンプ］キーＫＪ、［戻る／リスト］キーＫＲ）が固定印刷されたタッチキーエリア１７Ａが設けられる。
【００２０】
また、前記タッチパネル式メイン表示部１７の左端には、動作モードに応じて実行可能な機能をタッチ操作により指定するための、各種のアイコンが表示されるタッチアイコンエリア１７Ｂが設けられる。
【００２１】
例えば所望の辞書の見出し語を検索し、その説明情報などを表示させた説明情報表示画面Ｇが前記メイン表示部１７に表示された状態で、この説明情報表示画面Ｇに表示されている説明情報のなかの任意の文字列を指定表示Ｈさせ、当該指定表示Ｈされた文字列について他の辞書にジャンプして検索するジャンプ検索モード（［ジャンプ］キー１４ｆ（ＫＪ）により起動される）の場合、前記タッチアイコンエリア１７Ｂには、ジャンプモードアイコンＢＪが表示される。
【００２２】
このジャンプモードアイコンＢＪは、前記説明情報表示画面Ｇにて指定表示Ｈされたジャンプ検索対象の文字列の文字種（漢字／かな／アルファベット）に応じて前回使用された辞書をジャンプ先の辞書に指定するための［前回辞書］アイコンＢｂ、同ジャンプ検索対象の文字列の文字種に応じて検索可能な辞書の中からユーザ所望の辞書をジャンプ先の辞書として選択するための［辞書選択］アイコンＢｓ、同ジャンプ検索対象の文字列の文字種に応じて予め用意されたミニ辞書（簡約辞書）をジャンプ先の辞書に指定するための［ミニ辞書］アイコンＢｍの３つのアイコンからなる。
【００２３】
なお、この電子辞書装置１０は、予め記憶されたブックデータやダウンロードされたテキストデータを、ブック／テキストビューワ画面としてタッチパネル式メイン表示部１７に表示させることが可能である（ブック／テキストビューワモード）。
【００２４】
そして、前記ブック／テキストビューワ画面に表示されているブック／テキストデータのなかの任意の文字列を指定表示Ｈさせ、当該指定表示Ｈされた文字列について辞書にジャンプして検索することが可能である（ジャンプ検索モード）。
【００２５】
また、この電子辞書装置１０は、前記ジャンプ検索モードにおけるユーザ操作に応じてジャンプ元になった辞書あるいはテキストファイルと対応付けて、ジャンプ先の辞書および当該ジャンプ先辞書で最終検索した情報の種類（説明情報／用例／例文／…）を、ジャンプ検索の辞書別予測情報として登録する機能を備える。
【００２６】
そして、この電子辞書装置１０は、前記ジャンプ検索の辞書別予測情報として、例えばジャンプ元の辞書「Ｐ和英中辞典」、ジャンプ先の辞書「Ｇ英和辞典」、最終検索情報「用例」として登録されている場合に、図１に示すように、メイン表示部１７に表示された「Ｐ和英中辞典」の見出し語「きる［切る］」の説明情報表示画面Ｇにおいて、ジャンプ検索モードに設定し、検索対象の単語「chop」を指定表示Ｈさせると、前記登録されたジャンプ先の辞書「Ｇ英和辞典」から前記指定された単語「chop」の用例を直ちに検索し、サブ表示部１６にジャンプ先用例一覧画面ＧＲとして表示する機能を備える。
【００２７】
これにより、ジャンプ元の辞書の説明情報表示画面Ｇをメイン表示部１７に表示させたまま、当該ジャンプ元辞書とジャンプ先辞書との組み合わせに応じて、ユーザが最終的に望んでいる指定の単語（Ｈ）についての情報を、直ちにサブ表示部１６に表示させることができる。
【００２８】
よって、前記メイン表示部１７の説明情報表示画面Ｇ上にある他の複数の単語についても繰り返し同様の情報を直ちにジャンプ検索してサブ表示部１６に表示させることができる。
【００２９】
図２は、前記電子辞書装置１０の電子回路の構成を示すブロック図である。
【００３０】
この電子辞書装置１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００３１】
ＣＰＵ２１は、記憶装置（フラッシュＲＯＭ）２２内に予め記憶された装置制御プログラム、あるいはＲＯＭカードなどの外部記録媒体２３から記録媒体読み取り部２４を介して前記記憶装置２２に読み込まれた装置制御プログラム、あるいはインターネットＮ上のＷｅｂサーバ（この場合はプログラムサーバ）３０から通信部２５を介して前記記憶装置２２に読み込まれた装置制御プログラムに応じて、ＲＡＭ２６を作業領域とし、回路各部の動作を制御する。
【００３２】
前記記憶装置２２に記憶された装置制御プログラムは、キー入力部１４、タッチパネル式サブ表示部１６、タッチパネル式メイン表示部１７からのユーザ操作に応じた入力信号、あるいは通信部２５を介して接続されるインターネットＮ上の各Ｗｅｂサーバ３０…との通信信号、あるいは記録媒体読み取り部２４を介して外部接続されるＥＥＰＲＯＭ，ＲＡＭ，ＲＯＭなどのメモリ・カード（記録媒体）２３との接続通信信号に応じて起動される。
【００３３】
このように前記ＣＰＵ２１には、記憶装置２２、記録媒体読み取り部２４、通信部２５、ＲＡＭ２６、キー入力部１４、タッチパネル式サブ表示部１６（１６ｄ，１６ｔ）、タッチパネル式メイン表示部１７（１７ｄ，１７ｔ）などが接続される。
【００３４】
前記記憶装置２２に記憶される装置制御プログラムとしては、当該電子辞書装置１０の全体の動作を司るシステムプログラム、通信部２５を介してインターネットＮ上の各Ｗｅｂサーバ３０…や図示しないユーザＰＣ(Personal Computer)などとデータ通信するための通信プログラムが記憶される。
【００３５】
また、辞書情報やブック／テキストデータの表示だけでなく、検索文字列の入力に応じて見出し語を検索する見出し語検索処理、検索された見出し語に対応した説明情報（語義／語源／用例／解説など）の読み出し表示処理、表示された説明情報やブック／テキストデータの中のユーザ任意の文字列を指定し当該指定の文字列を他の辞書にジャンプして検索するためのジャンプ検索処理など、同メモリ２２内に記憶された辞書データベース２２ｂやブック／テキストデータに基づく処理全般を制御するための各種情報表示制御プログラム２２ａが記憶される。
【００３６】
前記辞書データベース２２ｂとしては、［国語辞典］２２ｂ１、［英和辞典］２２ｂ２、［和英辞典］２２ｂ３、［例文辞典］２２ｂ４などの各種の辞書データが予めあるいはダウンロードされて記憶され、各種の辞書データの各項目としては、見出し語と当該見出し語の説明情報とが対応付けられて記述される。
【００３７】
なお、前記説明情報に含まれる語義／語源／用例／解説などは、例えば語義毎に階層化されたデータ構造を持って記憶されている。
【００３８】
ＲＡＭ２６には、メイン表示データメモリ２６ａ、サブ表示データメモリ２６ｂ、検索語データメモリ２６ｃ、辞書別予測データメモリ２６ｄなどが確保される。
【００３９】
メイン表示データメモリ２６ａには、前記メイン表示部１７に表示させるメイン表示データがビットマップパターンに展開されて記憶される。
【００４０】
サブ表示データメモリ２６ｂには、前記サブ表示部１６に表示させるサブ表示データがビットマップパターンに展開されて記憶される。
【００４１】
検索語データメモリ２６ｃには、ユーザ操作に応じて入力あるいは指定された検索対象の単語が記憶される。
【００４２】
辞書別予測データメモリ２６ｄには、ジャンプ検索モードにおけるユーザ操作に応じてジャンプ元になった辞書あるいはテキストファイルと対応付けて、ジャンプ先の辞書および当該ジャンプ先辞書で最終検索した情報の種類（説明情報／用例／例文／…）が、ジャンプ検索の辞書別予測情報として記憶され登録される。
【００４３】
このように構成された電子辞書装置１０は、ＣＰＵ２１が前記情報検索表示制御プログラム２２ａ（前記見出し語検索処理、説明情報の読み出し表示処理、ジャンプ検索処理等を実行するためのプログラムを含む）に記述された命令に従い回路各部の動作を制御し、ソフトウエアとハードウエアとが協働して動作することにより、以下の動作説明で述べる機能を実現する。
【００４４】
次に、前記構成による電子辞書装置１０の動作について説明する。
【００４５】
図３は、前記電子辞書装置１０の情報表示処理（第１・第２実施例）を示すフローチャートである。
【００４６】
（第１実施例）
図４は、前記電子辞書装置１０の情報表示処理（第１実施例）に伴う辞書別予測情報登録時のジャンプ検索表示動作を示す図である。
【００４７】
辞書指定キー１４ｂのユーザ操作に応じて［和英辞典］２２ｂ３が指定され（ステップＳ１）、当該［和英辞典］２２ｂ３の検索語入力画面（図示せず）にて検索語「きる」が入力され、当該検索語「きる」に応じて検索された見出し語「きる［切る］」が選択されると、図４（Ａ）に示すように、当該見出し語「きる［切る］」の説明情報表示画面Ｇがメイン表示部１７に表示される（ステップＳ２）。
【００４８】
この説明情報表示画面Ｇ内の単語を対象にジャンプ検索するために［ジャンプ］キー１４ｆ（ＫＪ）が操作されジャンプ検索モードに設定されると（ステップＳ３（Ｙｅｓ））、カーソル操作またはタッチ操作に応じて指定された検索対象の単語「cut」が反転されて指定表示Ｈされる（ステップＳ４）。
【００４９】
すると、現在使用中の辞書、つまりジャンプ元の辞書［和英辞典］２２ｂ３に対応付けられた予測情報が辞書別予測データメモリ２２ｄに登録されているか否かが判断される（ステップＳ５）。
【００５０】
ここで、ジャンプ元の辞書［和英辞典］２２ｂ３に対応付けられた予測情報は登録されていないと判断されると（ステップＳ５（Ｎｏ））、図４（Ｂ）に示すように、前記指定表示Ｈされた単語「cut」の文字種「アルファベット」に応じたジャンプ先候補の辞書名「ＯＡＬＤ」「ＬＤＯＣＥ」「Ｇ英和」「Ｏ英和」を配列した辞書選択バーＳＤがメイン表示部１７の上端に沿って表示され、当該辞書選択バーＳＤにおいて、前回使用された辞書名「ＯＡＬＤ」が反転カーソルＣｕによりデフォルトで選択されて識別表示される（ステップＳ６）。
【００５１】
そして、前記辞書選択バーＳＤにおけるカーソル操作またはタッチ操作に応じて矢印ｘに示すように反転カーソルＣｕが移動され、ユーザ所望のジャンプ先の辞書名「Ｇ英和」が選択されると（ステップＳ６）、前記指定の単語「cut」に一致する見出し語が検索されて見出し語一覧エリアＭＬに表示されると共に、その説明情報がプレビューエリアＰＶに表示される（ステップＳ７）。
【００５２】
ここで、前記見出し語一覧エリアＭＬに表示された見出し語「cut」を指定表示Ｈさせて選択し（ステップＳ８）、図４（Ｃ）に示すように、［訳／決定］キー１４ｃ（ＫＥ）が操作されると、前記ジャンプ先の辞書として選択された［Ｇ英和辞典］（２２ｂ２）から見出し語「cut」の説明情報が読み出され、ジャンプ先説明情報表示画面ＧＪとしてメイン表示部１７に表示される（ステップＳ９）。
【００５３】
これにより、前記［和英辞典］２２ｂ３の見出し語「きる［切る］」の説明情報表示画面Ｇに表示される単語「cut」を指定して、［Ｇ英和辞典］（２２ｂ２）にジャンプ検索し、同指定の単語「cut」の説明情報を見ることができる。
【００５４】
ここでさらに、ユーザの必要に応じて、前記指定の単語「cut」の「用例」を知りたい場合に、前記説明情報表示画面Ｇに含まれる［用例］アイコンＲがペンＰによりタッチされると（ステップＳ１０（Ｙｅｓ））、図４（Ｄ）に示すように、前記「Ｇ英和」辞典（２２ｂ２）から見出し語「cut」の用例が読み出され、ジャンプ先用例一覧画面ＧＲとしてメイン表示部１７に表示される（ステップＳ１１）。
【００５５】
これにより、前記［和英辞典］２２ｂ３の見出し語「きる［切る］」の説明情報表示画面Ｇに表示される単語「cut」を指定して、［Ｇ英和辞典］（２２ｂ２）にジャンプ検索し、同指定の単語「cut」の用例を見ることができる。
【００５６】
ここで、［戻る／リスト］キー１４ｄ（ＫＲ）が操作されると（ステップＳ１２（Ｙｅｓ））、前記ジャンプ元の辞書［和英辞典］２２ｂ３に対して、直前の辞書であるジャンプ先辞書［Ｇ英和辞典］（２２ｂ２）およびその最終検索された情報の種類［用例］が対応付けられたジャンプ検索の辞書別予測情報が生成され、辞書別予測データメモリ２６ｄに記憶され登録される（ステップＳ１３）。
【００５７】
そして、前記図４（Ｃ）で示したジャンプ先説明情報表示画面ＧＪの表示状態に戻る（ステップＳ９）。
【００５８】
一方、前記図４（Ｃ）で示したように、ジャンプ先の辞書として選択された［Ｇ英和辞典］（２２ｂ２）から指定の単語「cut」の説明情報が読み出され、ジャンプ先説明情報表示画面ＧＪとしてメイン表示部１７に表示された際に（ステップＳ９）、［戻る／リスト］キー１４ｄ（ＫＲ）が操作されると（ステップＳ１４（Ｙｅｓ））、前記ジャンプ元の辞書［和英辞典］２２ｂ３に対して、直前の辞書であるジャンプ先辞書［Ｇ英和辞典］（２２ｂ２）およびその最終検索された情報の種類［説明情報］が対応付けられたジャンプ検索の辞書別予測情報が生成され、辞書別予測データメモリ２６ｄに記憶され登録される（ステップＳ１５）。
【００５９】
そして、前記図４（Ａ）で示した、ジャンプ元の辞書［和英辞典］２２ｂ３での説明情報表示画面Ｇにおいて検索対象単語「cut」が指定表示Ｈされた状態に戻る（ステップＳ４）。
【００６０】
図５は、前記電子辞書装置１０の情報表示処理（第１実施例）に伴う辞書別予測情報に応じたジャンプ検索表示動作を示す図である。
【００６１】
ここでは、前記図４（Ａ）〜図４（Ｄ）で示したように、ジャンプ元の辞書［和英辞典］２２ｂ３、ジャンプ先の辞書［Ｇ英和辞典］（２２ｂ２）としたジャンプ検索操作に伴い、指定の単語の［用例］まで検索した際の辞書別予測情報か、または、指定の単語の［説明情報］まで検索した際の辞書別予測情報が、前記辞書別予測情報データメモリ２６ｄに登録された状態でのジャンプ検索予測処理について説明する。
【００６２】
すなわち、図５（Ａ）に示すように、前記［和英辞典］２２ｂ３の見出し語「きる［切る］」に対応した説明情報表示画面Ｇがメイン表示部１７に表示された状態で（ステップＳ１，Ｓ２）、ジャンプ検索モードに設定され（ステップＳ３（Ｙｅｓ））、検索対象の単語「cut」を指定表示Ｈさせると（ステップＳ４）、ジャンプ元の辞書［和英辞典］２２ｂ３に対応付けられた辞書別予測情報が辞書別予測データメモリ２６ｄに登録されていると判断される（ステップＳ５（Ｙｅｓ））。
【００６３】
ここで、前記辞書別予測データメモリ２６ｄに、ジャンプ元辞書［和英辞典］２２ｂ３に対してジャンプ先辞書［Ｇ英和辞典］（２２ｂ２）およびその最終検索された情報の種類［用例］が対応付けられた辞書別予測情報が登録されている場合には、メイン表示部１７におけるジャンプ元辞書［和英辞典］２２ｂ３の説明情報表示画面Ｇはそのままで、図５（ａ１）に示すように、前記ジャンプ先辞書［Ｇ英和辞典］（２２ｂ２）から前記指定表示Ｈされた単語「cut」に対応する用例が直ちに読み出され、ジャンプ先用例一覧画面ＧＲとしてサブ表示部１６に表示される（ステップＳ１６）。
【００６４】
同様に、図５（Ｂ）に示すように、前記［和英辞典］２２ｂ３の見出し語「きる［切る］」に対応した説明情報表示画面Ｇがメイン表示部１７に表示された状態で（ステップＳ１，Ｓ２）、ジャンプ検索モードに設定され（ステップＳ３（Ｙｅｓ））、検索対象の単語「chop」を指定表示Ｈさせると（ステップＳ４）、メイン表示部１７におけるジャンプ元辞書［和英辞典］２２ｂ３の説明情報表示画面Ｇはそのままで、図５（ｂ１）に示すように、前記ジャンプ先辞書［Ｇ英和辞典］（２２ｂ２）から前記指定表示Ｈされた単語「chop」に対応する用例が直ちに読み出され、ジャンプ先用例一覧画面ＧＲとしてサブ表示部１６に表示される（ステップＳ５→Ｓ１６）。
【００６５】
これにより、前記［和英辞典］２２ｂ３の所望の見出し語の説明情報表示画面Ｇにおいて、ジャンプ検索モードを設定し任意の単語を指定すると、直ちに［Ｇ英和辞典］（２２ｂ２）にジャンプして同指定の単語の用例を別画面で見ることができる。そして、同説明情報表示画面Ｇにおける所望の単語の指定操作に応じた所望のジャンプ先辞書による用例表示動作を、簡単に繰り返して実行できるようになる。
【００６６】
一方、前記図５（Ａ）で示したように、ジャンプ元辞書［和英辞典］２２ｂ３の説明情報表示画面Ｇがメイン表示部１７に表示された状態で（ステップＳ１，Ｓ２，Ｓ３）、検索対象の単語「cut」を指定表示Ｈさせた際に（ステップＳ４）、前記辞書別予測データメモリ２６ｄに、ジャンプ元辞書［和英辞典］２２ｂ３に対してジャンプ先辞書［Ｇ英和辞典］（２２ｂ２）およびその最終検索された情報の種類［説明情報］が対応付けられた辞書別予測情報が登録されていると判断された場合は（ステップＳ５（Ｙｅｓ））、メイン表示部１７におけるジャンプ元辞書［和英辞典］２２ｂ３の説明情報表示画面Ｇはそのままで、図５（ａ２）に示すように、前記ジャンプ先辞書［Ｇ英和辞典］（２２ｂ２）から前記指定表示Ｈされた単語「cut」に対応する説明情報が直ちに読み出され、ジャンプ先説明情報表示画面ＧＪとしてサブ表示部１６に表示される（ステップＳ１６）。
【００６７】
同様に、前記図５（Ｂ）で示したように、ジャンプ元辞書［和英辞典］２２ｂ３の説明情報表示画面Ｇがメイン表示部１７に表示された状態で（ステップＳ１，Ｓ２，Ｓ３）、検索対象の単語「chop」を指定表示Ｈさせると（ステップＳ４）、メイン表示部１７におけるジャンプ元辞書［和英辞典］２２ｂ３の説明情報表示画面Ｇはそのままで、図５（ｂ２）に示すように、前記ジャンプ先辞書［Ｇ英和辞典］（２２ｂ２）から前記指定表示Ｈされた単語「chop」に対応する説明情報が直ちに読み出され、ジャンプ先説明情報表示画面ＧＪとしてサブ表示部１６に表示される（ステップＳ５→Ｓ１６）。
【００６８】
これにより、前記［和英辞典］２２ｂ３の所望の見出し語の説明情報表示画面Ｇにおいて、ジャンプ検索モードを設定し任意の単語を指定すると、直ちに［Ｇ英和辞典］（２２ｂ２）にジャンプして同指定の単語の説明情報を別画面で見ることができる。そして、同説明情報表示画面Ｇにおける所望の単語の指定操作に応じた所望のジャンプ先辞書による説明情報表示動作を、簡単に繰り返して実行できるようになる。
【００６９】
なお、前記図５（Ａ）（ａ１）（ａ２）、前記図５（Ｂ）（ｂ１）（ｂ２）で示したように、ジャンプ元辞書［和英辞典］２２ｂ３の説明情報表示画面Ｇがメイン画面１７に表示され、ジャンプ先辞書［Ｇ英和辞典］（２２ｂ２）でのジャンプ先用例一覧画面ＧＲ（又はジャンプ先説明情報表示画面ＧＪ）がサブ表示部１６に表示された状態で、図示しない画面切り替えキーを操作すると、図５（Ｃ）に示すように、前記ジャンプ元辞書［和英辞典］２２ｂ３の説明情報表示画面Ｇをサブ表示部１６に切り替えて表示させ、同時に前記ジャンプ先辞書［Ｇ英和辞典］（２２ｂ２）でのジャンプ先用例一覧画面ＧＲ（又はジャンプ先説明情報表示画面ＧＪ）をメイン画面１７に切り替えて見易く表示させることができる。
【００７０】
したがって、前記構成の電子辞書装置１０による第１実施例の情報表示制御機能によれば、任意の辞書の見出し語の説明情報表示画面Ｇ（メイン表示部１７）において、ジャンプ検索モードを設定して所望の単語を指定しジャンプ先の辞書を選択すると、当該指定の単語についての説明情報や用例がジャンプ先辞書から検索されて表示されると共に、ジャンプ元の辞書に対してジャンプ先の辞書および最終検索された情報の種類（説明情報又は用例）を対応付けた辞書別予測情報が生成されて登録される。この後、登録されたジャンプ元辞書での説明情報表示画面Ｇ（メイン表示部１７）において、ジャンプ検索モードを設定して所望の単語を指定すると、当該所望の単語を指定する都度、前記辞書別予測情報に基づき、登録されたジャンプ先辞書から当該指定の単語についての登録された種類（説明情報又は用例）の情報が直ちに検索されてサブ表示部１６に表示される。
【００７１】
このため、ユーザが行う特定のジャンプ検索操作を予測し、ジャンプ元情報の表示はそのまま、所望のジャンプ検索結果を迅速に別画面に表示させることが可能になる。
【００７２】
（第２実施例）
図６は、前記電子辞書装置１０の情報表示処理（第２実施例）に伴う辞書別予測情報登録時および登録予測情報に応じたジャンプ検索表示動作を示す図である。
【００７３】
先ず、前記図４（Ａ）で示したように、［和英辞典］２２ｂ３から検索された見出し語「きる［切る］」の説明情報表示画面Ｇがメイン表示部１７に表示され（ステップＳ１，Ｓ２）、ジャンプ検索モードに設定され（ステップＳ３（Ｙｅｓ））、検索対象の単語「cut」が指定表示Ｈされる（ステップＳ４）。
【００７４】
すると、ジャンプ元の辞書［和英辞典］２２ｂ３に対応付けられた予測情報は登録されていないと判断される（ステップＳ５（Ｎｏ））。
【００７５】
ここで、ジャンプ先の辞書を選択するために、図６（Ａ）に示すように、タッチアイコンエリア１７Ｂの［辞書選択］アイコンＢｓがペンＰによりタッチされると、現在の説明情報表示画面Ｇ上に、ジャンプ先候補の辞書名「連語辞典」「英英活用辞典」「イディオム辞典」…「例文検索」「成句検索」を一覧にしたジャンプ先辞書一覧ウインドウＤＬが表示される（ステップＳ６）。
【００７６】
このジャンプ先辞書一覧ウインドウＤＬにおいて、前記指定の単語「cut」の例文を調べるために、ユーザ所望のジャンプ先の辞書名「例文検索」が選択され反転カーソルＣｕにより識別表示されると（ステップＡ１（Ｙｅｓ））、図６（Ｂ）に示すように、例文検索辞書（例えば、指定の単語の文字種に応じた例文を有する複数の辞書「リーダ」「Ｇ大英和」…）から前記指定の単語「cut」が含まれる例文が検索され、メイン表示部１７の例文一覧エリアＲＬに一覧表示されると共に、そのうちデフォルトで指定表示Ｈされた例文がサブ表示部１６にジャンプ先例文画面ＧＬとして展開表示される（ステップＡ２）。
【００７７】
ここで、前記例文一覧エリアＲＬに表示された例文「increased … tax cuts」を指定表示Ｈさせて選択し［訳／決定］キー１４ｃ（ＫＥ）が操作されると（ステップＡ３）、前記ジャンプ元の辞書［和英辞典］２２ｂ３に対して、直前の辞書であるジャンプ先辞書［例文検索辞書］（２２ｂ４）およびその最終検索された情報の種類［例文］が対応付けられたジャンプ検索の辞書別予測情報が生成され、辞書別予測データメモリ２６ｄに記憶され登録される（ステップＡ４）。
【００７８】
そして、図６（Ｃ）に示すように、前記例文一覧エリアＲＬから選択された前記指定の単語「cut」を含む例文「increased … tax cuts」がメイン表示部１７にジャンプ先例文画面ＧＬとして展開表示される（ステップＡ５）。
【００７９】
ここで、［戻る／リスト］キー１４ｄ（ＫＲ）が操作されると（ステップＡ６（Ｙｅｓ））、前記図６（Ｂ）で示したメイン表示部１７での例文一覧エリアＲＬによる例文一覧表示の状態に戻り（ステップＡ２）、引き続き他の例文を選択して展開表示することが可能になる。
【００８０】
これにより、前記［和英辞典］２２ｂ３の見出し語「きる［切る］」の説明情報表示画面Ｇに表示される単語「cut」を指定して、［例文検索辞書］（２２ｂ４）にジャンプ検索し、同指定の単語「cut」を含む例文を見ることができる。
【００８１】
こうして、前記図４（Ａ），図６（Ａ）〜図６（Ｃ）で示したように、ジャンプ元の辞書［和英辞典］２２ｂ３、ジャンプ先の辞書［例文検索辞書］（２２ｂ４）としたジャンプ検索操作に伴い、指定の単語の［例文］を検索した際の辞書別予測情報が、前記辞書別予測情報データメモリ２６ｄに登録される。
【００８２】
この後、図６（Ｄ）に示すように、［和英辞典］２２ｂ３の検索に応じた見出し語「きる［切る］」の説明情報表示画面Ｇをメイン表示部１７に表示させ（ステップＳ１．Ｓ２）、ジャンプ検索モードを設定し（ステップＳ３（Ｙｅｓ））、検索対象の単語「carve」を指定表示Ｈさせると（ステップＳ４）、前記辞書別予測データメモリ２６ｄに、ジャンプ元辞書［和英辞典］２２ｂ３に対してジャンプ先辞書［例文検索辞書］（２２ｂ４）およびその最終検索された情報の種類［例文］が対応付けられた辞書別予測情報が登録されていると判断される（ステップＳ５（Ｙｅｓ））。
【００８３】
すると、メイン表示部１７におけるジャンプ元辞書［和英辞典］２２ｂ３の説明情報表示画面Ｇはそのままで、前記ジャンプ先辞書［例文検索辞書］（２２ｂ４）から前記指定表示Ｈされた単語「carve」を含む先頭の例文が直ちに読み出され、ジャンプ先例文画面ＧＬとしてサブ表示部１６に展開表示される（ステップＳ１６）。
【００８４】
この際、カーソルキー［↓］１４ｅが操作される毎に、前記ジャンプ先辞書［例文検索辞書］（２２ｂ４）から前記指定表示Ｈされた単語「carve」を含む次の例文が順次読み出され、前記サブ表示部１６にジャンプ先例文画面ＧＬとして展開表示される。
【００８５】
これにより、前記［和英辞典］２２ｂ３の所望の見出し語の説明情報表示画面Ｇにおいて、ジャンプ検索モードを設定し任意の単語を指定すると、直ちに［例文検索辞書］（２２ｂ４）にジャンプして同指定の単語の例文を別画面で見ることができる。そして、同説明情報表示画面Ｇにおける所望の単語の指定操作に応じた［例文検索辞書］（２２ｂ４）による例文表示動作を、簡単に繰り返して実行できるようになる。
【００８６】
したがって、前記構成の電子辞書装置１０による第２実施例の情報表示制御機能によれば、任意の辞書の見出し語の説明情報表示画面Ｇ（メイン表示部１７）において、ジャンプ検索モードを設定して所望の単語を指定しジャンプ先の辞書（例文辞書）を選択すると、当該指定の単語を含む例文が検索されて表示されると共に、ジャンプ元の辞書に対して例文辞書を対応付けた辞書別予測情報が生成されて登録される。この後、登録されたジャンプ元辞書での説明情報表示画面Ｇ（メイン表示部１７）において、ジャンプ検索モードを設定して所望の単語を指定すると、当該所望の単語を指定する都度、前記辞書別予測情報に基づき、登録された例文辞書から当該指定の単語についての例文が直ちに検索されてサブ表示部１６に表示される。
【００８７】
このため、ユーザが行う特定のジャンプ検索操作（例文検索）を予測し、ジャンプ元情報の表示はそのまま、所望のジャンプ検索結果（例文検索結果）を迅速に別画面に表示させることが可能になる。
【００８８】
なお、前記各実施形態では、ジャンプ元辞書からの一連のジャンプ検索操作を１回行うだけで、当該検索操作に応じたジャンプ元辞書とジャンプ先辞書と最終検索された情報の種類とを対応付けたジャンプ検索のための辞書別予測情報を登録する構成としたが、同じジャンプ検索操作を複数回行ったときに、当該ジャンプ検索のための辞書別予測情報を登録する構成としてもよい。
【００８９】
また、前記各実施形態では、辞書検索された見出し語の説明情報表示画面Ｇにおいて、ジャンプ検索モードを設定して任意の単語を指定することで、ジャンプ先の辞書から当該指定の単語についての所望の情報を検索する場合について説明した。これに限らず、電子ブックなどのテキストファイルの表示画面において、ジャンプ検索モードを設定して任意の単語を指定した場合でも、前記各実施形態と同様に、メイン表示部１７とサブ表示部１６を併用して、当該指定の単語についての所望の情報を繰り返し容易に検索表示可能であるのは勿論である。この場合、ジャンプ元のテキストファイルに対して、ジャンプ先辞書およびその最終検索された情報の種類［説明情報／用例／例文／…］を対応付けた辞書別予測情報を生成し、辞書別予測データメモリ２６ｄに登録する構成とすればよい。
【００９０】
さらに、前記各実施形態では、電子辞書装置１０を具体例として説明し、サブ表示部１６とメイン表示部１７とは、それぞれ独立した表示部として構成としたが、タブレット型のＰＤＡ，ＰＣ，携帯電話，電子ブック，携帯ゲーム機等により実現する場合、前記サブ表示部１６とメイン表示部１７とは、同一のタブレット上にウインドウにして表示されるサブ画面とメイン画面として構成すればよい。
【００９１】
なお、前記各実施形態において記載した電子辞書装置１０による各処理の手法およびデータベース、すなわち、図３のフローチャートに示す情報表示処理（第１・第２実施例）などの各手法、および辞書データベース２２ｂは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、メイン・サブ表示画面（１７）（１６）を備えた電子機器のコンピュータは、この外部記憶媒体２３に記憶されたプログラムを記憶装置（２２）に読み込み、この読み込んだプログラムによって動作が制御されることにより、前記各実施形態において説明した特定のジャンプ検索を予測する情報表示制御機能を実現し、前述した手法による同様の処理を実行することができる。
【００９２】
また、前記各手法を実現するためのプログラムのデータは、プログラムコードの形態としてネットワークＮ上を伝送させることができ、このプログラムデータを、ネットワークＮに接続されたコンピュータに通信制御部２５によって取り込むことで、前述した特定のジャンプ検索を予測する情報表示制御機能を実現することもできる。
【００９３】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００９４】
以下に、本願出願の当初の特許請求の範囲に記載された発明を付記する。
【００９５】
［１］
単語と当該単語に関する情報とを対応付けて集録した複数の辞書を記憶する辞書記憶手段と、テキストデータを第１画面に表示させるテキスト表示手段と、このテキスト表示手段により第１画面に表示されたテキストデータの中の単語をユーザ操作に応じて指定する単語指定手段と、前記辞書記憶手段により記憶された辞書の中からユーザ操作に応じて辞書を選択する辞書選択手段と、この辞書選択手段により選択された辞書から前記単語指定手段により指定された単語に関する情報を検索して表示させるジャンプ検索表示手段とを有する情報表示制御装置であって、
前記ジャンプ検索表示手段により前記指定の単語に関する情報を表示させた際、前記テキスト表示手段により表示されたテキストデータに対し前記辞書選択手段により選択された辞書と当該辞書から検索されて表示された情報の種類とを対応付けた検索予測情報を登録する予測情報登録手段と、
この予測情報登録手段により登録された検索予測情報のテキストデータが前記テキスト表示手段により第１画面に表示された状態で、前記単語指定手段により当該第１画面に表示されたテキストデータの中の単語が指定された場合、前記検索予測情報にて当該テキストデータに対応付けられた辞書から、前記指定された単語に関する情報であって且つ前記検索予測情報にて登録された種類の情報を検索して第２画面に表示させるジャンプ検索予測表示手段と、
を備えたことを特徴とする情報表示制御装置。
【００９６】
［２］
前記辞書記憶手段は、単語と当該単語に関する階層化された複数種類の情報とを対応付けて集録した複数の辞書を記憶し、
前記ジャンプ検索表示手段は、前記辞書選択手段により選択された辞書から前記単語指定手段により指定された単語に関し階層化された複数種類の情報をユーザ操作に応じて順番に検索して表示させ、
前記予測情報登録手段は、前記ジャンプ検索表示手段により前記指定の単語に関する情報を表示させた際、前記テキスト表示手段により表示されたテキストデータに対し前記辞書選択手段により選択された辞書と当該辞書から最終に検索されて表示された情報の種類とを対応付けた検索予測情報を登録する、
ことを特徴とする［１］に記載の情報表示制御装置。
【００９７】
［３］
前記辞書記憶手段は、単語と当該単語の例文を含む複数種類の情報とを対応付けて集録した複数の辞書を記憶し、
前記予測情報登録手段は、前記ジャンプ検索表示手段により前記指定の単語の例文を表示させた際、前記テキスト表示手段により表示されたテキストデータに対し前記辞書選択手段により選択された辞書と例文を示す情報とを対応付けた検索予測情報を登録し、
前記ジャンプ検索予測表示手段は、前記予測情報登録手段により登録された検索予測情報のテキストデータが前記テキスト表示手段により第１画面に表示された状態で、前記単語指定手段により当該第１画面に表示されたテキストデータの中の単語が指定された場合、前記検索予測情報にて当該テキストデータに対応付けられた辞書から、前記指定された単語の例文を検索して第２画面に表示させる、
ことを特徴とする［１］に記載の情報表示制御装置。
【００９８】
［４］
前記第１画面の表示内容と前記第２画面の表示内容とをユーザ操作に応じて切り替えて表示させる画面切り替え表示手段を備えたことを特徴とする［２］または［３］に記載の情報表示制御装置。
【００９９】
［５］
単語と当該単語に関する情報とを対応付けて集録した複数の辞書を記憶する辞書記憶手段と、テキストデータを第１画面に表示させるテキスト表示手段と、このテキスト表示手段により第１画面に表示されたテキストデータの中の単語をユーザ操作に応じて指定する単語指定手段と、前記辞書記憶手段により記憶された辞書の中からユーザ操作に応じて辞書を選択する辞書選択手段と、この辞書選択手段により選択された辞書から前記単語指定手段により指定された単語に関する情報を検索して表示させるジャンプ検索表示手段とを有する情報表示装置のコンピュータを制御するためのプログラムであって、
前記コンピュータを、
前記ジャンプ検索表示手段により前記指定の単語に関する情報を表示させた際、前記テキスト表示手段により表示されたテキストデータに対し前記辞書選択手段により選択された辞書と当該辞書から検索されて表示された情報の種類とを対応付けた検索予測情報をメモリに登録する予測情報登録手段、
この予測情報登録手段により登録された検索予測情報のテキストデータが前記テキスト表示手段により第１画面に表示された状態で、前記単語指定手段により当該第１画面に表示されたテキストデータの中の単語が指定された場合、前記検索予測情報にて当該テキストデータに対応付けられた辞書から、前記指定された単語に関する情報であって且つ前記検索予測情報にて登録された種類の情報を検索して第２画面に表示させるジャンプ検索予測表示手段、
として機能させるためのプログラム。
【符号の説明】
【０１００】
１０  …電子辞書装置
１１  …本体ケース
１２  …蓋体ケース
１３  …ヒンジ部
１４  …キー入力部（キーボード）
１４ａ…文字入力キー
１４ｂ…辞書指定キー
１４ｃ…［訳／決定］キー
１４ｄ…［戻る／リスト］キー
１４ｅ…カーソルキー
１４ｆ…［ジャンプ］キー
１５  …スピーカ
１６  …サブ表示部
１６ｄ…カラー液晶表示画面
１６ｔ…透明タッチパネル
１７  …メイン表示部
１７ｄ…カラー液晶表示画面
１７ｔ…透明タッチパネル
１７Ａ…タッチキーエリア
ＫＪ  …［ジャンプ］キー
ＫＲ  …［戻る／リスト］キー
ＫＥ  …［訳／決定］キー
１７Ｂ…タッチアイコンエリア
ＢＪ  …ジャンプモードアイコン
Ｂｂ  …［前回辞書］アイコン
Ｂｓ  …［辞書選択］アイコン
Ｂｍ  …［ミニ辞書］アイコン
２１  …ＣＰＵ
２２  …記憶装置
２２ａ…各種情報表示制御プログラム
２２ｂ…辞書データベース
２２ｂ１…［国語辞典］
２２ｂ２…［英和辞典］
２２ｂ３…［和英辞典］
２２ｂ４…［例文辞典］
２３  …外部記録媒体
２４  …記録媒体読み取り部
２５  …通信部
２６  …ＲＡＭ
２６ａ…メイン表示データメモリ
２６ｂ…サブ表示データメモリ
２６ｃ…検索語データメモリ
２６ｄ…辞書別予測データメモリ
３０  …Ｗｅｂサーバ
Ｇ    …説明情報表示画面
ＧＪ  …ジャンプ先説明情報表示画面
ＧＲ  …ジャンプ先用例一覧画面
ＧＬ  …ジャンプ先例文画面
ＳＤ  …辞書選択バー
ＤＬ  …ジャンプ先辞書一覧ウインドウ
Ｃｕ  …反転カーソル
Ｈ    …指定表示
Ｐ    …タッチペン
【図１】
0005903902.tif 000002
【図２】
0005903902.tif 000003
【図３】
0005903902.tif 000004
【図４】
0005903902.tif 000005
【図５】
0005903902.tif 000006
【図６】
0005903902.tif 000007